(57)【要約】ハンドヘルド電子機器用装飾的効果のある簡易着脱式固定装置は、ハンドヘルド電子機器、シート状基体及び装飾性のあるシート状接続体を含む。シート状基体の両面はそれぞれ第一接着面と第一係着面であり、装飾性のあるシート状接続体の両面はそれぞれ第二接着面と第二係着面であり、第二係着面の表面には装飾的な多色パターンが印刷されている。シート状基体は任意の面に接着固定でき、装飾性のあるシート状接続体を使用するハンドヘルド電子機器の裏面に接着固定され、さらにその第二係着面を介してシート状基体の第一係着面に固定され、それによりハンドヘルド電子機器が前記平面に固定され、ハンドヘルド電子機器を軽く引くだけで装飾性のあるシート状接続体の第二係着面をシート状基体の第一係着面から分離して取り外すことができる。該装置は、任意の面に容易に装着し、確実に固定でき、取り外しやすく、耐用年数が長く、外観が美しくスタイリッシュで、適用範囲が広いなどの特徴を有する。
2017515637.tif 000002
【特許請求の範囲】
【請求項１】
携帯型ハンドヘルド電子機器（１０）と、
シート状基体の一面は接着体付きの第一接着面（２１）で、他面は突出しているフック状繊維から形成された第一係着面（２２）であるシート状可撓性基体（２０）と、
シート状接続体の一面は接着体付きの第二接着面（３１）で、他面は突出している環状繊維から形成されたスエード状第二係着面（３２）であり、該第二係着面の表面には装飾的な多色パターンが印刷されている装飾性のあるシート状可撓性接続体（３０）と、を含み、
前記装飾性のあるシート状接続体（３０）は合成繊維織物から製造され、前記シート状基体（２０）は合成繊維織物または合成樹脂シートから製造され、前記第一接着面（２１）と第二接着面（３１）は、シート状基体（２０）と装飾性のある接続体（３０）それぞれの一面に接着剤を塗布して形成され、前記第一接着面（２１）と第二接着面（３１）は片面または両面に接着剤を塗布した接着シートで形成され、前記片面に接着剤を塗布した接着シートは合成樹脂シートで、両面に接着剤を塗布した接着シートは合成繊維織物または合成樹脂シートであり、前記片面に接着剤を塗布した接着シートの接着剤を塗布していない面は高周波溶融によってシート状基体（２０）と装飾性のあるシート状接続体（３０）の裏面に貼り合わされ、両面に接着剤を塗布した接着シートはシート状基体（２０）と装飾性のあるシート状接続体（３０）の裏面に直接接着されており、前記装飾性のあるシート状接続体（３０）の第二係着面（３２）の表面には昇華転写またはＵＶインクジェット印刷によって装飾的な多色パターンが印刷され、前記シート状基体（２０）の第一係着面（２２）の表面にはＵＶインクジェット印刷によって装飾的な多色パターンが印刷されており、かつ
前記シート状基体（２０）はその第一接着面（２１）を介してハンドヘルド電子機器の使用に有利な任意の面に接着固定でき、前記装飾性のあるシート状接続体（３０）はその第二接着面（３１）を介して使用するハンドヘルド電子機器（１０）の裏面に接着固定され、またその第二係着面（３２）を介してシート状基体の第一係着面（２２）に係着固定され、それにより前記ハンドヘルド電子機器（１０）が前記平面に固定され、ハンドヘルド電子機器（１０）を軽く引くだけで装飾性のあるシート状接続体の第二係着面（３２）がシート状基体の第一係着面（２２）から分離して取り外すことができることを特徴とするハンドヘルド電子機器用装飾的効果のある簡易着脱式固定装置。
【請求項２】
シート状基体（２０）と装飾性のあるシート状接続体（２０）を製造する織物は、ポリアミドまたはポリエチレンテレフタラートを含有する繊維織物であり、シート状基体を製造する合成樹脂シートは、ポリアミド、ポリエチレン、ポリプロピレン、ポリスチレンまたはポリ塩化ビニルシートであることを特徴とする請求項１に記載のハンドヘルド電子機器用装飾的効果のある簡易着脱式固定装置。
【請求項３】
前記装飾性のあるシート状接続体（３０）の寸法は接続対象となるハンドヘルド電子機器（１０）の外形寸法に対応し、シート状接続体（２０）の寸法は装飾性のあるシート状接続体と同じでも異なっても構わないことを特徴とする請求項１に記載のハンドヘルド電子機器用装飾的効果のある簡易着脱式固定装置。
【請求項４】
昇華転写またはＵＶインクジェット印刷を経た装飾性のあるシート状接続体（３０）の厚さは、印刷前の厚さより小さいため、装飾性のあるシート状接続体の第二係着面（３２）がシート状基体の第一係着面（２２）に係着される際に、一部のフック状繊維と一部の環状繊維だけが接続されることを特徴とする請求項１に記載のハンドヘルド電子機器用装飾的効果のある簡易着脱式固定装置。
【請求項５】
前記装飾性のあるシート状接続体の第二係着面（３２）の縁部付近には浮き防止用の窪んだ長尺状縁部（３３）が形成されていることを特徴とする請求項１に記載のハンドヘルド電子機器用装飾的効果のある簡易着脱式固定装置。
【請求項６】
前記ハンドヘルド電子機器（１０）は携帯型通信装置、ＰＣまたはナビゲーション装置であることを特徴とする請求項１に記載のハンドヘルド電子機器用装飾的効果のある簡易着脱式固定装置。
【発明の詳細な説明】
【技術分野】
【０００１】
本発明は、ハンドヘルド電子機器用固定装置に関し、特にハンドヘルド電子機器用装飾的効果のある簡易着脱式固定装置に関する。
【背景技術】
【０００２】
電子技術と通信技術の急速な発展に伴い、現在、スマートフォン、タブレットＰＣ、携帯情報端末及びナビゲーション装置など様々なハンドヘルド電子機器は人々の生活の中で広く利用されており、このような装置は通信連絡、勤務、外出と娯楽活動に利便性をもたらし、生活の質を向上させるとともに、人々のライフスタイルを変えている。上記電子機器は体積が小さく、携帯しやすいが、いずれもこのような理由から携帯型装置で、いつも移動中に使用されるため、それをいかに車両、部屋とオフィスに容易に固定できるかは人々を悩ませる問題となる。このような理由から、把持または吸着などによって電子機器を固定するホルダまたはチャック類の装置が開発されているが、このような装置は体積が大きく、それ自体を固定する必要があり、かつ美観性に欠けるため、携帯と使用上には不便な点が多々あり、利用しにくい。また、このような装置は特定のハンドヘルド電子機器に限って使用できるため、汎用性に欠ける。一方、携帯電話などのハンドヘルド電子機器を保護するため、使用者は携帯電話などの裏面にケース、保護カバーなどを装備しなければならず、それによって一定の保護効果が得られるが、ケース、保護カバーはほとんど皮革、プラスチックによるものであるため、ハンドヘルド電子機器の体積を増やし、使い心地を損なってしまう。また、従来のハンドヘルド電子機器用ケースは全部単色のもので、装飾的効果と美感に欠けている。
【発明の概要】
【発明が解決しようとする課題】
【０００３】
本発明は、上記問題を解決するために、静止状態にも移動中の設備にも使用でき、使用しやすいハンドヘルド電子機器の任意の面に簡易に装着でき、確実に固定し、取り外しやすく、耐用年数が長く、外観が美しくスタイリッシュで、適用範囲が広いハンドヘルド電子機器用装飾的効果のある簡易着脱式固定装置を提供することを目的とする。
【課題を解決するための手段】
【０００４】
上記目的を達成するために、本発明は、ハンドヘルド電子機器用装飾的効果のある簡易着脱式固定装置を提供し、該装置は、
携帯型ハンドヘルド電子機器と、
シート状基体の一面は接着体付きの第一接着面で、他面は突出しているフック状繊維から形成された第一係着面であるシート状可撓性基体と、
シート状接続体の一面は接着体付きの第二接着面で、他面は突出している環状繊維から形成されたスエード状第二係着面であり、該第二係着面の表面には装飾的な多色パターンが印刷されている装飾性のあるシート状可撓性接続体と、を含み、且つ
前記シート状基体はその第一接着面を介してハンドヘルド電子機器の使用に有利な任意の面に接着固定でき、前記装飾性のあるシート状接続体はその第二接着面を介して使用するハンドヘルド電子機器の裏面に接着固定され、またその第二係着面を介してシート状基体の第一係着面に係着固定され、それにより前記ハンドヘルド電子機器が前記平面に固定され、ハンドヘルド電子機器を軽く引くだけで装飾性のあるシート状接続体の第二係着面がシート状基体の第一係着面から分離して取り外す。
【０００５】
前記装飾性のあるシート状接続体は合成繊維織物から製造され、前記シート状基体は合成繊維織物または合成樹脂シートから製造される。
【０００６】
シート状基体と装飾性のあるシート状接続体を製造する織物は、ポリアミドまたはポリエチレンテレフタラートを含有する繊維織物であり、シート状基体を製造する合成樹脂シートは、ポリアミド、ポリエチレン、ポリプロピレン、ポリスチレンまたはポリ塩化ビニルシートである。
【０００７】
前記第一接着面と第二接着面は、シート状基体と装飾性のある接続体それぞれの一面に接着剤を塗布して形成される。
【０００８】
前記第一接着面と第二接着面は、片面または両面に接着剤を塗布した接着シートで形成され、前記片面に接着剤を塗布した接着シートは合成樹脂シートで、両面に接着剤を塗布した接着シートは合成繊維織物または合成樹脂シートであり、前記片面に接着剤を塗布した接着シートの接着剤を塗布していない面は高周波溶融によってシート状基体（２０）と装飾性のあるシート状接続体の裏面に貼り合わされ、両面に接着剤を塗布した接着シートはシート状基体と装飾性のあるシート状接続体の裏面に直接接着されている。
【０００９】
前記装飾性のあるシート状接続体の寸法は、接続対象となるハンドヘルド電子機器の外形寸法に対応し、シート状接続体の寸法は装飾性のあるシート状接続体と同じでも異なっても構わない。
【００１０】
前記装飾性のあるシート状接続体の第二係着面の表面には、昇華転写またはＵＶインクジェット印刷により装飾的な多色パターンが印刷されており、前記シート状基体の第一係着面の表面にはＵＶインクジェット印刷により装飾的な多色パターンが印刷されている。
【００１１】
昇華転写またはＵＶインクジェット印刷を経た装飾性のあるシート状接続体の厚さは、印刷前の厚さより小さいため、装飾性のあるシート状接続体の第二係着面がシート状基体の第一係着面に係着される際に、一部のフック状繊維と一部の環状繊維だけが接続される。
【００１２】
前記装飾性のあるシート状接続体の第二係着面の縁部付近には、浮き防止用の窪んだ長尺状縁部が形成されている。
【００１３】
前記ハンドヘルド電子機器は、携帯型通信装置、ＰＣまたはナビゲーション装置である。
【発明の効果】
【００１４】
本発明は、ハンドヘルド電子機器及び装着面と非常に組み合わせやすい平面式固定装置を提供し、従来のハンドヘルド電子機器用固定装置における、体積が大きく、装着・使用しにくく、装飾的効果に欠けるなどの問題を効果的に解決できる。それはオフィスや家などにおいて静止状態でも、車両などにおいて移動状態でも使用でき、使用時に、シート状基体を車両または部屋内のある平面に貼り付け、装飾性のあるシート状接続体が貼りついたハンドヘルド電子機器をシート状基体に押し付けるだけで、ハンドヘルド電子機器を該平面に係合でき、したがって装着・使用しやすく、かつ確実に固定できる。また、該装置は平面式の固定装置であるため、空間をほぼ占めず、極めて携帯・使用しやすい。軽く引くだけで取り外すことができるため、迅速な着脱が実現し、使用しやすさが大幅に向上する。さらに、装飾性のあるシート状接続体には多色のパターンが印刷されているため、装飾的効果に富む。本発明に係る装置は耐用年数が長く、外観が美しくスタイリッシュで、各種類のハンドヘルド電子機器に広く適用できる
【図面の簡単な説明】
【００１５】
【図１】本発明の全体的構造の概略図である。
【図２】本発明におけるシート状基体の構造の概略図である。
【図３】本発明における装飾性のあるシート状接続体の構造の概略図である。
【発明を実施するための形態】
【００１６】
次の実施例は、本発明に対する更なる説明であり、本発明をこれらの実施例にのみ限定するものではない。
【００１７】
図１に示すように、本発明に係るハンドヘルド電子機器用装飾的効果のある簡易着脱式固定装置は、ハンドヘルド電子機器１０、シート状基体２０及び装飾性のあるシート状接続体３０を含み、そのうち、前記ハンドヘルド電子機器１０は携帯型通信装置、ＰＣまたはナビゲーションとすることができ、本実施例において、ハンドヘルド電子機器１０は携帯電話である。前記シート状基体２０はハンドヘルド電子機器の平面と装飾性のあるシート状接続体３０との接続と固定に用いられ、前記装飾性のあるシート状接続体３０はハンドヘルド電子機器１０とシート状基体２０との接続に用いられ、前記装飾性のあるシート状接続体３０とシート状基体２０との接続は着脱可能な接続で、シート状基体２０と固定平面との接続は固定接続である。
【００１８】
図２に示すように、前記シート状基体２０は可撓性のシート状体であり、その形と寸法は装飾性のあるシート状接続体と同じでも異なっても構わず、その寸法は装飾性のあるシート状接続体の寸法を上回りまたは下回ることができ、使用する場合と接続対象となるハンドヘルド電子機器の種類によって定めることができる。該シート状基体２０の一面は接続体付きの第一接着面２１であり、該第一接着面２１はシート状基体２０を部屋内または車両内のある平面に固定するために用いる。前記シート状基体の他面は突出しているフック状繊維によって形成された第一係着面２２であり、前記フック状繊維は、装飾性のあるシート状接続体３０にある環状繊維に係着して接続できるように、紡績工程により繊維の端部にて形成させたフック状体である。
【００１９】
図３に示すように、前記装飾性のあるシート状接続体３０も可撓性のシート状体であり、その寸法は接続対象となるハンドヘルド電子機器１０外形寸法に対応し、すなわち、該装飾性のあるシート状接続体はハンドヘルド電子機器１０のケースと同じ大きさ、または縁部を包む部分を保留してそれより少し大きいものにすることができ、無論、装飾性のあるシート状接続体の寸法はハンドヘルド電子機器１０の外形寸法より小さくなっても構わない。装飾性のあるシート状接続体の寸法がハンドヘルド電子機器１０の外形寸法より小さい場合、必要に応じて、ハンドヘルド電子機器１０の裏面の異なる部位に接着できる、寸法がさらに小さい複数枚のシート状体に製造することができる。該装飾性のあるシート状接続体３０の一面は接着体付きの第二接着面３１であり、該第二接着面３１は装飾性のあるシート状接続体３０をハンドヘルド電子機器１０の裏面に接着するために用いる。前記装飾性のあるシート状接続体３０の他面は突出している環状繊維が緻密に絡み合って形成した第二係着面３２であり、前記突出している環状繊維は、シート状基体２０にあるフック状繊維に係着して接続できるように、紡績工程により繊維を環状体に形成させたものである。
【００２０】
図２、図３に示すように、本発明において、前記シート状基体２０と装飾性のあるシート状接続体３０はハンドヘルド電子機器１０の接続固定部材であり、高強度、可撓性、耐摩耗性と長い耐用年数が求められ、したがって、本発明において、該シート状基体２０は合成繊維織物または合成樹脂シートから製造され、シート状基体２０と装飾性のあるシート状接続体３０を製造する合成繊維織物はポリエチレンテレフタラートを含有する繊維織物、またはポリアミド含有の合成繊維織物とすることができる。シート状基体を製造する合成樹脂シートはポリアミド、ポリエチレン、ポリプロピレン、ポリスチレンまたはポリ塩化ビニルシートのうちのいずれかとすることができる。関連実験では、ポリエチレンテレフタラートまたはポリアミド繊維織物から製造されたシート状基体と装飾性のあるシート状接続体は本発明に求められた高強度、可撓性と耐摩耗性を有することが明らかになり、したがって、本発明において、シート状基体２０と装飾性のあるシート状接続体３０はポリエチレンテレフタラート繊維織物が好ましい。前記シート状基体２０の第一係着面２２と装飾性のあるシート状接続体３０の第二係合面３２はいずれも公知の紡績工程により形成でき、公知の工程により第二係着面３２の表面において突出している繊維がスエード状面を形成することができ、第一係着面２２と第二係着面３２が係着する際に、第一係着面２２の表面にあるフック状繊維は第二係着面３２の表面にある環状繊維を引っ掛け、両者が係合する。
【００２１】
図２、図３に示すように、本発明において、前記第一接着面２１と第二接着面３１はそれぞれ、シート状基体２０と装飾性のある接続体３０の一面に接着剤を複合させることで形成でき、接着剤の被覆は公知の接着剤被覆工程により行うことができる。本発明の他の実施例において、前記シート状の第一接着面２１と装飾性のあるシート状接続体の第二接着面３１は片面に接着剤を塗布した接着シート、または両面に接着剤を塗布した接着シートによって形成することができる。前記片面に接着剤を塗布した接着シートは、ポリアミド、ポリエチレン、ポリプロピレン、ポリスチレンまたはポリ塩化ビニルシートのうちのいずれかの合成樹脂シートとすることができ、本実施例においてポリエチレンシートが好ましい。片面に接着剤を塗布した該接着シートの、接着剤を塗布していない面は高周波溶融によりシート状基体２０と装飾性のあるシート状接続体３０の裏面に貼り合わされている。両面に接着剤を塗布した前記接着シートは合成繊維織物または合成樹脂シートとし、本実施例において、合成繊維織物であるポリエチレンテレフタラート合成繊維が好ましい。両面に接着剤を塗布した接着シートはシート状基体２０と装飾性のあるシート状接続体３０の裏面に直接接着されている。
【００２２】
図１に示すように、前記装飾性のあるシート状接続体の第二係着面３２の表面には装飾的な多色パターンが印刷されており、該パターンはメーカーまたは使用者の提供する、装飾的効果のあるいかなるパターンでもよい。該装飾的な多色パターンは昇華転写またはＵＶインクジェット印刷により装飾性のあるシート状接続体に印刷することができ、本実施例において、装飾的な多色パターンの印刷方式は昇華転写が好ましく、昇華転写により印刷されたパターンが明瞭で、印刷物相当の品位を有する。印刷の過程中に、昇華転写に伴う高温は装飾性のあるシート状接続体の、繊維が緻密に絡み合って形成した表面の柔軟性を変え、織物表面にスエード状繊維が押しつぶされ、これにより昇華転写を経た装飾性のあるシート状接続体３０の厚さは印刷前の厚さより小さくなり、装飾性のあるシート状接続体の第二係着面３２がシート状基体の第一係着面２２と係合する際に、一部の環状繊維だけがシート状基体の第一係着２２にあるフック状繊維に接続することになり、その結果、使用回数を重ねていくうちに、装飾性のあるシート状接続体の係着力には大きな変わりが生じず、使用期間にわたって引張力が均一に変化し、使用回数と耐用年数が延ばされるという効果を得られる。装飾性のあるシート状接続体の第二係着面３２の縁部が浮くのを防止するために、第二係着面３２の縁部付近にはホットプレスまたは織物の厚さの低減などにより窪んだ長尺状の縁部３３を形成している。本発明において、シート状基体の第一係着面２２は接続していない状態でも装飾的効果があるように、前記シート状基体２０の第一係着面２２の表面には昇華転写またはＵＶインクジェット印刷により装飾的な多色パターンが印刷されており、これによりハンドヘルド電子機器１０をシート状基体２０から取り外した後、シート状体２０の露出した面、すなわち第一係着面２２では装飾的な多色パターンを現し、視覚的美感と装飾的効果があり、広告媒体として使用できる。
【００２３】
図１に示すように、本発明を使用する際に、まず、前記装飾性のあるシート状接続体３０をその第二接着面３１を介して携帯電話のケースに接着固定し、装飾性のあるシート状接続体の第二係着面３２が露出し、第二係着面３２にある多色のパターンは日常の使用において装飾的効果を果たし、かつ、綿毛のような手触りがする。さらに、シート状基体２０をその第一接着面２１を介して室内または車両内の前部における携帯電話の使用に有利なある平面（該平面はいつもの、携帯電話を固定する位置であることを推奨する）に固定し、シート状基体２０が固定されると、その第一係着面２２が露出する。携帯電話を固定するとき、装飾性のあるシート状接続体３０が貼りついた携帯電話をシート状基体２０の第一係着面２２に直接貼り付けるだけでよく、このとき、第一係着面２２のフック状繊維が装飾性のあるシート状接続体３０にある環状繊維に接着して係合し、携帯電話を所定の平面に固定する。携帯電話を取り外すとき、ハンドヘルド電子機器１０を軽く引くだけで、装飾性のあるシート状接続体の第二係着面３２をシート状基体の第一係着面２２から分離させて携帯電話を取り外すことができ、上記説明により、携帯電話の固定と取り外しが非常に容易であることが明らかになる。無論、手持ち式ＰＣまたはナビゲーション装置など他のハンドヘルド電子機器１０も、本発明に係る装置で固定できる。
【００２４】
上記実施例により本発明を開示したが、本発明の保護範囲はそれに限定するのではなく、本発明の発想から逸脱することなく上記各部材について行う変形、置換などはすべて本発明の特許請求の範囲に含まれるものとする。
【図１】
2017515637.tif 000003
【図２】
2017515637.tif 000004
【図３】
2017515637.tif 000005
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
携帯型ハンドヘルド電子機器（１０）と、
シート状基体の一面は接着体付きの第一接着面（２１）で、他面は突出しているフック状繊維から形成された第一係着面（２２）であるシート状可撓性基体（２０）と、
シート状接続体の一面は接着体付きの第二接着面（３１）で、他面は突出している環状繊維から形成されたスエード状第二係着面（３２）であり、該第二係着面の表面には装飾的な多色パターンが印刷されている装飾性のあるシート状可撓性接続体（３０）と、を含み、
前記装飾性のあるシート状接続体（３０）は合成繊維織物から製造され、前記シート状基体（２０）は合成繊維織物または合成樹脂シートから製造され、前記第一接着面（２１）と第二接着面（３１）は、シート状基体（２０）と装飾性のある接続体（３０）それぞれの一面に接着剤を塗布して形成され、前記第一接着面（２１）と第二接着面（３１）は片面または両面に接着剤を塗布した接着シートで形成され、前記片面に接着剤を塗布した接着シートは合成樹脂シートで、両面に接着剤を塗布した接着シートは合成繊維織物または合成樹脂シートであり、前記片面に接着剤を塗布した接着シートの接着剤を塗布していない面は高周波溶融によってシート状基体（２０）と装飾性のあるシート状接続体（３０）の裏面に貼り合わされ、両面に接着剤を塗布した接着シートはシート状基体（２０）と装飾性のあるシート状接続体（３０）の裏面に直接接着されており、前記装飾性のあるシート状接続体（３０）の第二係着面（３２）の表面には昇華転写またはＵＶインクジェット印刷によって装飾的な多色パターンが印刷され、前記シート状基体（２０）の第一係着面（２２）の表面にはＵＶインクジェット印刷によって装飾的な多色パターンが印刷されており、かつ
前記シート状基体（２０）はその第一接着面（２１）を介してハンドヘルド電子機器の使用に有利な任意の面に接着固定でき、前記装飾性のあるシート状接続体（３０）はその第二接着面（３１）を介して使用するハンドヘルド電子機器（１０）の裏面に接着固定され、またその第二係着面（３２）を介してシート状基体の第一係着面（２２）に係着固定され、それにより前記ハンドヘルド電子機器（１０）が前記平面に固定され、ハンドヘルド電子機器（１０）を軽く引くだけで装飾性のあるシート状接続体の第二係着面（３２）がシート状基体の第一係着面（２２）から分離して取り外すことができることを特徴とするハンドヘルド電子機器用装飾的効果のある簡易着脱式固定装置。
【請求項２】
シート状基体（２０）と装飾性のあるシート状接続体（２０）を製造する織物は、ポリアミドまたはポリエチレンテレフタラートを含有する繊維織物であり、シート状基体を製造する合成樹脂シートは、ポリアミド、ポリエチレン、ポリプロピレン、ポリスチレンまたはポリ塩化ビニルシートであることを特徴とする請求項１に記載のハンドヘルド電子機器用装飾的効果のある簡易着脱式固定装置。
【請求項３】
前記装飾性のあるシート状接続体（３０）の寸法は接続対象となるハンドヘルド電子機器（１０）の外形寸法に対応し、シート状接続体（２０）の寸法は装飾性のあるシート状接続体と同じでも異なっても構わないことを特徴とする請求項１に記載のハンドヘルド電子機器用装飾的効果のある簡易着脱式固定装置。
【請求項４】
昇華転写またはＵＶインクジェット印刷を経た装飾性のあるシート状接続体（３０）の厚さは、印刷前の厚さより小さいため、装飾性のあるシート状接続体の第二係着面（３２）がシート状基体の第一係着面（２２）に係着される際に、一部のフック状繊維と一部の環状繊維だけが接続されることを特徴とする請求項１に記載のハンドヘルド電子機器用装飾的効果のある簡易着脱式固定装置。
【請求項５】
前記装飾性のあるシート状接続体の第二係着面（３２）の縁部付近には浮き防止用の窪んだ長尺状縁部（３３）が形成されていることを特徴とする請求項１に記載のハンドヘルド電子機器用装飾的効果のある簡易着脱式固定装置。
【請求項６】
前記ハンドヘルド電子機器（１０）は携帯型通信装置、ＰＣまたはナビゲーション装置であることを特徴とする請求項１に記載のハンドヘルド電子機器用装飾的効果のある簡易着脱式固定装置。
【請求項７】
前記装飾性のあるシート状接続体（３０）の第二係着面（３２）の表面には、昇華転写またはＵＶインクジェット印刷により装飾的な多色パターンが印刷されており、前記シート状基体（２０）の第一係着面（２２）の表面にはＵＶインクジェット印刷により装飾的な多色パターンが印刷されていることを特徴とする請求項１に記載のハンドヘルド電子機器用装飾的効果のある簡易着脱式固定装置。
【請求項８】
昇華転写またはＵＶインクジェット印刷を経た装飾性のあるシート状接続体（３０）の厚さは、印刷前の厚さより小さいため、装飾性のあるシート状接続体の第二係着面（３２）がシート状基体の第一係着面（２２）に係着される際に、一部のフック状繊維と一部の環状繊維だけが接続されることを特徴とする請求項７に記載のハンドヘルド電子機器用装飾的効果のある簡易着脱式固定装置。
【請求項９】
前記装飾性のあるシート状接続体の第二係着面（３２）の縁部付近には、浮き防止用の窪んだ長尺状縁部（３３）が形成されていることを特徴とする請求項８に記載のハンドヘルド電子機器用装飾的効果のある簡易着脱式固定装置。
【請求項１０】
前記ハンドヘルド電子機器（１０）は、携帯型通信装置、ＰＣまたはナビゲーション装置であることを特徴とする請求項１に記載のハンドヘルド電子機器用装飾的効果のある簡易着脱式固定装置。
【国際調査報告】
2017515637.tif 000006
2017515637.tif 000007
2017515637.tif 000008
2017515637.tif 000009